(57)【要約】【課題】庇板の上面に当たる雨音が響くのを軽減させ得るようにした建物用庇を提供する。【解決手段】壁側に後端部が取り付けられ僅かな傾斜角で前下がりに支持される庇板９を備え、この庇板９は前後方向に向き隣り合う側部の係合部１６，１７同士が互いに結合される多数本の中間型材１０と、中間型材１０を所定本数結合して作られたパネル１１の左右両側部に結合される端部型材１２，１３と、この端部型材１２，１３が結合されたパネル１１の前端部に結合される先端見切りブラケット１４と、この先端見切りブラケット１４とともにパネルの前端部を覆うようにパネルに装着される先端見切り部材とから構成され、前記中間型材１０の両側の係合部１６，１７間の内部の空洞部１０ｂ内に発泡材からなる吸音材４１をフラットな上面が中間型材１０の上端板部１０ｃの内面に当接するように挿入した。【選択図】図１８
2010126957.tif 000002
【特許請求の範囲】
【請求項１】
壁側に後端部が取り付けられ僅かな傾斜角で前下がりに支持される庇板を備え、この庇板はアルミ押し出しにより作られ前後方向に向き隣り合う側部の係合部同士が互いに結合される多数本の中間型材と、中間型材を所定本数結合して作られたパネルの左右両側部に結合されるべくアルミ押し出しにより作られた端部型材と、この端部型材が結合されたパネルの前端部に結合されるアルミ板材からなる先端見切りブラケットと、この先端見切りブラケットとともにパネルの前端部を覆うようにパネルに装着されるアルミ押し出しにより作られた先端見切り部材とから構成され、前記中間型材の両側の係合部間の内部の空洞部内に発泡材からなる吸音材をフラットな上面が中間型材の上端板部の内面に当接するように挿入してあることを特徴とする建物用庇。
【発明の詳細な説明】
【技術分野】
【０００１】
本発明は、建物の軒先などに直射日光や雨水などを遮るために取り付けられる建物用庇に関するものである。
【背景技術】
【０００２】
従来のこの種建物用の庇としては、例えば特許文献１に開示されているように、建物の外壁面より前方へ張り出すように設けられる庇であって、金属製の庇板と、前記庇板の基端部を全幅にわたって保持する保持具と、前記庇板の先端縁に装着される樋状の縁板とから成り、前記庇板は、側端面を互いに突き合わせるようにして幅方向へ連結される複数の中間板材と、両側位置の中間板材の外側端面にそれぞれ装着される側板材とで構成され、各中間板材および各側板材は押出成形により形成された金属製の中空板材であり、各中間板材は両側端面に、各側板材は内側端面に、それぞれ他の板材と係脱可能な係合部が形成されるとともに、各中間板材の内部には長さ方向に沿う取付溝と補強のためのリブとが設けられ、前記取付溝には金属製の補強板が挿入されかつ支持されており、前記保持具は、前記庇板の全幅に相当する長さを有し建物の外壁面に固着される保持基板を含み、前記庇板を構成する全ての中間板材および側板材の基端部が複数の固定具により前記保持基板に固定されて成る庇が知られている。
【特許文献１】特許第３８５４６２６号公報
【発明の開示】
【発明が解決しようとする課題】
【０００３】
上記の特許文献１に開示されている庇にあっては、各中間板材および各側板材は押出成形により形成された金属製の中空板材であり、庇板の上面に当たる雨音が響き、耳障りであるという問題があった。
【０００４】
本発明の目的は、このような課題を解決するものであり、庇板の上面に当たる雨音が響くのを軽減させ得るようにした建物用庇を提供することにある。
【課題を解決するための手段】
【０００５】
本発明の請求項１に記載の建物用庇は、壁側に後端部が取り付けられ僅かな傾斜角で前下がりに支持される庇板を備え、この庇板はアルミ押し出しにより作られ前後方向に向き隣り合う側部の係合部同士が互いに結合される多数本の中間型材と、中間型材を所定本数結合して作られたパネルの左右両側部に結合されるべくアルミ押し出しにより作られた端部型材と、この端部型材が結合されたパネルの前端部に結合されるアルミ板材からなる先端見切りブラケットと、この先端見切りブラケットとともにパネルの前端部を覆うようにパネルに装着されるアルミ押し出しにより作られた先端見切り部材とから構成され、前記中間型材の両側の係合部間の内部の空洞部内に発泡材からなる吸音材をフラットな上面が中間型材の上端板部の内面に当接するように挿入してあることを特徴とする。
【発明の効果】
【０００６】
以上のように、本発明の建物用庇は、中間型材の空洞部内に発泡材からなる吸音材をフラットな上面が中間型材の上端板部の内面に当接するように挿入してあることにより、雨がパネルの上、詳しくは中間型材の上端板部の上に落ちて、雨音がパネル上で響くのを軽減させることができる。
【発明を実施するための最良の形態】
【０００７】
以下、本発明の一実施の形態を、図１〜図２２に基づいて説明する。
図において、本実施の形態の建物用庇１は、建物における庇取り付け壁面２に下部と上部でそれぞれ複数箇所づつアンカーボルト３とナット４により取り付けられるＬ型の壁取り付け部材５と、この壁取り付け部材５の立ち上がり板部５ａの前面に立ち上がり板部６ａが重なり壁取り付け部材５と一体に庇取り付け壁面２に前記壁取り付け部材５の上部の取り付けに用いられるアンカーボルト３とナット４により壁取り付け部材５と一体に取り付けられ下端のほぼ水平部６ｂと壁取り付け部材５の下端のほぼ水平部５ｂとの間に庇板（後述する）の後端挿入部を形成するＬ型の庇板支持部材６と、壁取り付け部材５の下端のほぼ水平部５ｂと庇板支持部材の下端のほぼ水平部６ｂとの間に挿入され両ほぼ水平部５ｂ，６ｂにボルト７とナット８により取り付けられ僅かな傾斜角で前下がりに支持される庇板９とから構成されている。
【０００８】
次に、各部材について詳細に説明すると、前記庇板９はアルミ押し出しにより作られ前後方向に向き隣り合う側部同士が互いに結合される多数本の中間型材１０と、中間型材１０を所定本数結合して作られたパネル１１の左右両側部に結合されるべくアルミ押し出しにより作られた端部型材１２，１３と、この端部型材１２，１３が結合されたパネル１１の前端部に結合されるアルミ板材からなる先端見切りブラケット１４と、この先端見切りブラケット１４とともにパネル１１の前端部を覆うようにパネル１１に装着されるアルミ押し出しにより作られた先端見切り部材１５とから構成される。
【０００９】
さらに詳細に説明すると、前記中間型材１０は両側に長さ方向全長に亘って係合部１６，１７が形成されていて係合部１６，１７間の内部が空洞となっている。そして、隣り合う一方の中間型材１０の一側部の係合部１６と隣り合う他方の中間型材１０の他側部の係合部１７が係合するとともに、互いに係合した両係合部１６，１７間に中間型材１０の後端部においてピン１８を差し込み、また互いに係合した両係合部１６，１７間に中間型材１０の前端部において前記先端見切りブラケット１４の取り付け用ねじ１９をねじ込むことにより両係合部１６，１７が互いに上下方向に突っ張り合い、隣り合う中間型材１０，１０同士を結合させている。中間型材１０を所定本数結合して作られたパネル１１の左右両側部において端部型材１２，１３を結合させる場合も同様である。ところで、前記隣り合う一方の中間型材１０の一側部の係合部１６と隣り合う他方の中間型材１０の他側部の係合部１７について具体的に説明すると、図６にも示すように中間型材１０の一側部の係合部１６にはその中間型材１０の上下方向中間部において他方の中間型材１０の他側部の係合部１７の上側当接板部１７ａおよび外側当接板部１７ｂに当接する下側当接板部１６ａおよび内側当接板部１６ｂがほぼ上半分に形成されているとともに、他方の中間型材１０の他側部の係合部１７の上側当接板部１７ｃおよび内側当接板部１７ｄに当接する下側当接板部１６ｃおよび外側当接板部１６ｄがほぼ下半分に形成されている。また、中間型材１０の一側部の係合部１６には上端に先端側が隣り合う他方の中間型材１０の他側部の係合部１７の上端板部１７ｅの内面に重なり付け根側が前記上端板部１７ｅの上面と面一状となるように途中に段差１６ｅが形成された上端板部１６ｆを備えるとともに、下端に他方の中間型材１０の他側部の係合部１７の下端板部１７ｆの先端側の下面に重なる下端板部１６ｇを備えている。なお、他方の中間型材１０の下端板部１７ｆは途中に段差１７ｇが形成されており、付け根側が前記下端板部１６ｇの下面と面一状となるように形成されている。また、前記隣り合う一方の中間型材１０の一側部の係合部１６と隣り合う他方の中間型材１０の他側部の係合部１７が近接した状態において前記上下方向中間部における一方の中間型材１０の内側当接板部１６ｂと外側当接板部１６ｄの間のほぼ半円形板部１６ｈと他方の中間型材１０の外側当接板部１７ｂと内側当接板部１７ｄとの間のほぼ半円形板部１７ｈとでほぼ円形の孔部２０が形成されるようになり、この孔部２０に前記ピン１８を差し込むとともに取り付け用ねじ１９をねじ込むことにより両係合部１６，１７が互いに上下方向に突っ張り合い、隣り合う中間型材１０，１０同士を結合させるようになる。また、隣り合う一方の中間型材１０の一側部の係合部１６と隣り合う他方の中間型材１０の他側部の係合部１７が近接した状態において前記上下方向中間部における一方の中間型材１０の下側当接板部１６ａおよび他方の中間型材１０の上側当接板部１７ａの上側並びに一方の中間型材１０の下側当接板部１６ｃおよび他方の中間型材１０の上側当接板部１７ｃの下側は空洞となっている。さらに、前記他方の中間型材１０の他側部の係合部１７の上側当接板部１７ａは先端が直角に上向きに折れ曲がっていて中間型材１０の長さ方向全長に亘って樋１７ｉが形成され、他方の中間型材１０の他側部の係合部１７の下端板部１７ｆも先端が直角に上向きに折れ曲がり途中に前記段差１７ｇが形成されていて中間型材１０の長さ方向全長に亘って樋１７ｊが形成されている。
【００１０】
パネル１１の左右両側部において結合される端部型材１２，１３とそれに隣り合う中間型材１０との関係も互いに隣り合う中間型材１０，１０間の結合部と同様で、パネル１１の一側部に位置する中間型材１０とそれに隣り合う端部型材１２との関係について説明すると、パネル１１の一側部に位置する中間型材１０の一側部の係合部１６に端部型材１２が係合されるように端部型材１２の係合部２１は中間型材１０の他側部の係合部１７と同様の形を呈し、この係合部２１には上側当接板部２１ａ、外側当接板部２１ｂ、上側当接板部２１ｃ、内側当接板部２１ｄ、上端板部２１ｅ、下端板部２１ｆ、段差２１ｇ、ほぼ半円形板部２１ｈを備え、中間型材１０の内側当接板部１６ｂと外側当接板部１６ｄの間のほぼ半円形板部１６ｈと外側当接板部２１ｂと内側当接板部２１ｄとの間のほぼ半円形板部２１ｈとでほぼ円形の孔部２２が形成されるようになり、この孔部２２に前記ピン１８を差し込むとともに取り付け用ねじ１９をねじ込むことにより両係合部１６，２１が互いに上下方向に突っ張り合い、中間型材１０の一側部と端部型材１２とを結合させるようになる。また、前記端部型材１２の係合部２１の上側当接板部２１ａは先端が直角に上向きに折れ曲がっていて端部型材１２の長さ方向全長に亘って樋２１ｉが形成され、端部型材１２の係合部２１の下端板部２１ｆも先端が直角に上向きに折れ曲がり途中に前記段差２１ｇが形成されていて端部型材１２の長さ方向全長に亘って樋２１ｊが形成されている。なお、この端部型材１２の係合部２１と外壁部１２ａとの間は内部は空洞となっている。
【００１１】
さらに、パネル１１の他側部に位置する中間型材１０とそれに隣り合う端部型材１３との関係について説明すると、パネル１１の他側部に位置する中間型材１０の他側部の係合部１７に端部型材１３が係合されるように端部型材１３の係合部２３は中間型材１０の一側部の係合部１６と同様の形を呈し、この係合部２３には下側当接板部２３ａ、内側当接板部２３ｂ、下側当接板部２３ｃ、外側当接板部２３ｄ、段差２３ｅ、上端板部２３ｆ、下端板部２３ｇ、ほぼ半円形板部２３ｈを備え、内側当接板部２３ｂと外側当接板部２３ｄの間のほぼ半円形板部２３ｈと中間型材１０の外側当接板部１７ｂと内側当接板部１７ｄとの間のほぼ半円形板部１７ｈとでほぼ円形の孔部２２が形成されるようになり、この孔部２２に前記ピン１８を差し込むとともに取り付け用ねじ１９をねじ込むことにより両係合部１７，２３が互いに上下方向に突っ張り合い、中間型材１０の他側部と端部型材１３とを結合させるようになる。なお、この端部型材１３の係合部２３と外壁部１３ａとの間も内部は空洞となっている。
【００１２】
以上のように、中間型材１０を所定本数結合し、左右両側部に端部型材１２，１３が結合されて作られたパネル１１上に落ちた雨水は互いに隣り合う中間型材１０，１０間の繋ぎ目や左右両側部における端部型材１２，１３と中間型材１０との間の繋ぎ目からパネル１１内に浸入して前記樋１７ｉ，樋２１ｉ上に落ち、パネル１１（庇板９）は僅かな傾斜角で前下がりに支持されていることからパネル１１の前端側に流れるように構成されている。また、雨水が樋１７ｉ，樋２１ｉをオーバーフローした場合は、雨水はパネル１１の上下（厚み）方向中間部における係合部１６，１７間、係合部１６，２１間、係合部１７，２３間の隙間から前記樋１７ｊ，樋２１ｊ上に落ち、パネル１１の前端側に流れるように構成されている。
【００１３】
各中間型材１０の後端部には前記両ほぼ水平部５ｂ，６ｂ間に挿入された状態で前記ボルト７を挿通させるための貫通孔１０ａが上下方向に形成されている。また、このボルト７と螺合するナット８は長尺状の板８ａに等間隔おきに雌ねじ孔８ｂが形成されたもので、庇板９を下側から受ける壁取り付け部材５の下端のほぼ水平部５ｂに形成されたあり溝５ｃに側方から嵌め込まれるものである。前記両ほぼ水平部５ｂ，６ｂ間に対しては、中間型材１０を１本づつ挿入するようにしても良く、あるいは互いに結合させた複数本の中間型材１０をまとめて挿入するようにしても良く、あるいは図示のごとく全ての中間型材１０および端部型材１２，１３を結合させてなる庇板９を挿入するようにしても良い。さらに、前記壁取り付け部材５と庇板支持部材６による庇板９の取り付け部はアルミ押し出しにより作られ両側にアルミ板材からなる蓋体２４が取り付けられたカバー２５で覆われるようになる。詳しくは、カバー２５は上端が壁取り付け部材５の上端にビス２６止めされ、下端が庇板支持部材６に近い位置で庇板９上に載り、また蓋体２４はカバー２５の両側を閉じるようにカバー２５の下端近傍、壁取り付け部材５の立ち上がり板部５ａの上端および壁取り付け部材５のほぼ水平部５ｂにそれぞれねじ込まれるビス２６により取り付けられ、最終的にカバー２５および蓋体２４と庇取り付け壁面２との近接部をシーリング材２７で防水処理するものである。なお、カバー２５の前端部下端には先端止水パッキン２８が庇板９上面に接するように装着されている。図面に示す実施の形態ではカバー２５は建物用庇１の横長さ方向全長に亘る長さの１本のカバー材が使用されているが、建物用庇１の横長さ（幅）の大きさによっては複数本のカバー材を用い、隣り合うカバー材間に内側より繋ぎ目を隠すようにジョイント材を介在させることも可能である。そのとき、ジョイント材とカバー材との間に繋ぎ目からの雨水の浸入を止めるための防水材を設けるようにすれば良い。
【００１４】
ところで、端部型材１２，１３が結合されたパネル１１の前端部に結合される先端見切りブラケット１４はパネル１１の前端部を覆う長さを持つ横長の板状で、前記樋１７ｉ，１７ｊ、樋２１ｉ，２１ｊに合致する位置で上下対象に凵状の切り欠き部２９が先端見切りブラケット１４の横長さ方向適当間隔おきに形成され、雨水が樋１７ｉ，１７ｊ、樋２１ｉ，２１ｊからパネル１１の前端側に流れ出るように構成されている。また、先端見切りブラケット１４にはこの先端見切りブラケット１４をパネル１１の前端部に取り付けるとともに前記ほぼ円形の孔部２０，２２にねじ込まれる取り付け用ねじ１９を挿通させる横向きの長孔３０が適当間隔おきに形成されている。そして、パネル１１の前端部に先端見切りブラケット１４が取り付けられた後、パネル１１の前端部とともに先端見切りブラケット１４を覆う先端見切り部材１５がビス３１により取り付けられる。この先端見切り部材１５もパネル１１の前端部を覆う長さを持つ横長状で、先端見切り部材１５は前端側が丸みを帯び前端側内部に空洞部３２を備えるように円弧状に形成され、空洞部３２を閉じ前後に仕切る板部３３の真後ろにおける下端に前記先端見切りブラケット１４の切り欠き部２９より流れ出た雨水を受ける横長の樋３４が先端見切り部材１５の横長さ方向全長に亘って形成され、この樋３４より後方に突出するようにパネル１１の前端部下面に当接する板部３５が形成され、また先端見切り部材１５の上端で後方に突出する板部３６の先端に前記先端見切りブラケット１４の上端に当接する下向き折曲片３７が形成され、さらに前記板部３５の前端部にパネル１１の前端下面に接するように防水パッキン３８が装着され、パネル１１の前端部下面に対して板部３５をビス３１に固定することにより先端見切り部材１５が取り付けられるものである。なお、先端見切り部材１５の横長さ方向両端はアルミ板材からなる蓋体３９がビス４０止めにて装着されて閉じられる。蓋体３９の下端には前記樋３４の下端の位置で切り欠き部３９ａが形成されており、前記パネル１１の樋１７ｉ，１７ｊ、樋２１ｉ，２１ｊから先端見切りブラケット１４の切り欠き部２９を通って樋３４内に落ちた雨水を切り欠き部３９ａより庇板９の横から外部へ排出するように構成されている。さらに、蓋体３９の下端には空洞部３２の下端の位置で切り欠き部３９ｂが形成されており、蓋体３９と空洞部３２の端部との隙間より浸入した雨水を切り欠き部３９ｂより庇板９の横から外部へ排出するように構成されている。
【００１５】
本発明の実施の形態では上記のような建物用庇１のパネル１１を構成する中間型材１０の両側の係合部１６，１７間の内部の空洞部１０ｂ内に発泡材からなる門型の吸音材４１を中間型材１０の長さ方向全長に亘って挿入してある。具体的には吸音材４１のフラットな上面は中間型材１０の上端板部１０ｃの内面に当接し、吸音材４１の下端は中間型材１０の下端板部１０ｄの内面に当接しており、中間型材１０の上端板部１０ｃと下端板部１０ｄとの間を突っ張るように吸音材４１が空洞部１０ｂ内に挿入されている。なお、吸音材４１の後端部においては前記ボルト７の差し込み部に差し込み孔４１ａが形成されている。
【００１６】
このように中間型材１０の空洞部１０ｂ内に発泡材からなる吸音材４１をフラットな上面が中間型材１０の上端板部１０ｃの内面に当接するように挿入してあることにより、雨がパネル１１の上、詳しくは中間型材１０の上端板部１０ｃの上に落ちて、雨音がパネル１１上で響くのを軽減させることができる。
【００１７】
なお、吸音材４１は図面に示す実施の形態では門型を呈しているが断面四角形の中実状であっても良く、あるいは板状で上端板部１０ｃの内面に当接するように貼り付けるようにしても良い。
【００１８】
さらに、図面に示す実施の形態では端部型材１２，１３の内部には吸音材が設けられていないが、端部型材１２，１３の内部にも同様の発泡材からなる吸音材を挿入するようにしても良い。
【図面の簡単な説明】
【００１９】
【図１】本発明の一実施の形態における建物用庇の概略分解斜視図である。
【図２】同庇板の分解斜視図である。
【図３】同庇板に使用される中間型材の正面図である。
【図４】同中間型材に吸音材を挿入する状態を示す斜視図である。
【図５】同中間型材に吸音材を挿入した状態を示す正面図である。
【図６】同隣り合う中間型材の係合部同士を近接させ後端部でピンを差し込み結合させた状態を示す正面図である。
【図７】（Ａ）および（Ｂ）は庇板に使用される端部型材の正面図である。
【図８】同パネルの一側部に位置する中間型材の係合部とそれに隣り合う端部型材の係合部を近接させ後端部でピンを差し込み結合させた状態を示す正面図である。
【図９】同パネルの他側部に位置する中間型材の係合部とそれに隣り合う端部型材の係合部を近接させ後端部でピンを差し込み結合させた状態を示す正面図である。
【図１０】同壁取り付け部材の側面図である。
【図１１】同庇板支持部材の側面図である。
【図１２】同パネルの後端部を支持するナットを壁取り付け部材に支持する途中の状態を示す斜視図である。
【図１３】同壁取り付け部材と庇板支持部材との間に庇板を挿入する状態を示す斜視図である。
【図１４】同壁取り付け部材と庇板支持部材との間に庇板を挿入して支持した状態を示す斜視図である。
【図１５】同壁取り付け部材と庇板支持部材による庇板の取り付け部をカバーで覆い蓋体を取り付ける前の状態を示す斜視図である。
【図１６】同壁取り付け部材と庇板支持部材による庇板の取り付け部を覆うカバーに蓋体を取り付け防水処理した状態を示す斜視図である。
【図１７】図１６の要部拡大断面図である。
【図１８】パネルの前端部側における先端見切りブラケットおよび先端見切り部材の取り付け前の状態を示す斜視図である。
【図１９】同先端見切り部材の分解斜視図である。
【図２０】同先端見切りブラケットをパネルの前端部側に取り付けた状態を示す要部拡大斜視図である。
【図２１】同先端見切り部材をパネルの前端部側に取り付けた状態を示す要部拡大斜視図である。
【図２２】図２１の断面図である。
【符号の説明】
【００２０】
１              建物用庇
２              庇取り付け壁面
５              壁取り付け部材
５ａ            立ち上がり板部
５ｂ            ほぼ水平部
６              庇板支持部材
６ａ            立ち上がり板部
６ｂ            ほぼ水平部
７              ボルト
８              ナット
９              庇板
１０              中間型材
１０ａ            貫通孔
１０ｂ            空洞部
１０ｃ            上端板部
１０ｄ            下端板部
１１              パネル
１２，１３        端部型材
１２ａ，１３ａ    外壁部
１４              先端見切りブラケット
１５              先端見切り部材
１６，１７        係合部
１７ｉ，１７ｊ    樋
１８              ピン
１９              取り付け用ねじ
２０              孔部
２１              係合部
２１ｉ，２１ｊ    樋
２２              孔部
２３              係合部
２４              蓋体
２５              カバー
２９              切り欠き部
３０              長孔
３１              ビス
３２              空洞部
３３              板部
３４              樋
３５，３６        板部
３７              折曲片
３８              防水パッキン
３９              蓋体
３９ａ，３９ｂ    切り欠き部
４０              ビス
４１              吸音材
４１ａ            差し込み孔
【図１】
2010126957.tif 000003
【図２】
2010126957.tif 000004
【図３】
2010126957.tif 000005
【図４】
2010126957.tif 000006
【図５】
2010126957.tif 000007
【図６】
2010126957.tif 000008
【図７】
2010126957.tif 000009
【図８】
2010126957.tif 000010
【図９】
2010126957.tif 000011
【図１０】
2010126957.tif 000012
【図１１】
2010126957.tif 000013
【図１２】
2010126957.tif 000014
【図１３】
2010126957.tif 000015
【図１４】
2010126957.tif 000016
【図１５】
2010126957.tif 000017
【図１６】
2010126957.tif 000018
【図１７】
2010126957.tif 000019
【図１８】
2010126957.tif 000020
【図１９】
2010126957.tif 000021
【図２０】
2010126957.tif 000022
【図２１】
2010126957.tif 000023
【図２２】
2010126957.tif 000024